(57)【要約】【課題】接触位置の検出精度の高い接触位置センサおよび表示装置を提供する。【解決手段】マトリクス状に配置された複数の表示画素からなる表示部を備えた表示パネルＰＮＬと、透明絶縁性基板と、透明絶縁性基板上に配置された透明電極群ＥＸＹと、透明電極群ＥＸＹに流れる電流を検出する電流検出手段と、を備えた接触位置センサＳＳと、を備え、透明電極群ＥＸＹは、第１方向Ｄ１に延びる複数の第１電極ＥＸと、複数の第１電極ＥＸと絶縁層を介して交差配置された第２方向Ｄ２に延びる複数の第２電極ＥＹとを備え、第１電極ＥＸは、第１方向Ｄ１に延びる第１軸電極部１０と、第１軸電極部１０から延びる第１枝電極部１２とを備え、隣接して配置された第１電極ＥＸの第１枝電極部１２は、共通する検出領域に配置されている表示装置。【選択図】図２
2010249695.tif 000002
【特許請求の範囲】
【請求項１】
マトリクス状に配置された複数の表示画素からなる表示部を備えた表示パネルと、
透明絶縁性基板と、マトリクス状に配置された検出領域を構成するように前記透明絶縁性基板上に配置された透明電極群と、前記透明電極群に流れる電流を検出する電流検出手段と、を備えた接触位置センサと、を備え、
前記透明電極群は、第１方向に延びる複数の第１電極と、前記複数の第１電極と絶縁層を介して交差配置された第２方向に延びる複数の第２電極とを備え、
前記第１電極は、前記第１方向に延びる第１軸電極部と、前記第１軸電極部から延びる第１枝電極部とを備え、
隣接して配置された前記第１電極の前記第１枝電極部は、共通する検出領域に配置されている表示装置。
【請求項２】
前記第１軸電極部は、前記第１方向に延びる第１軸電極と、前記第１軸電極から渦巻き状に延びる第１渦巻き電極と、を備え、
前記第１枝電極部は、前記第１渦巻き電極から前記第２方向に延びる第１枝電極を備え、
前記第２電極は、前記第２方向に延びる第２軸電極を備え、
前記第２軸電極部は、前記第２軸電極から延びる第２渦巻き電極を備え、
前記第２枝電極部は、前記第２軸電極から蛇行するように延びる第２枝電極を備え、
前記第１渦巻き電極と前記第２渦巻き電極とが共通する検出領域に配置され、前記第１枝電極と前記第２枝電極とが共通する検出領域に配置されている請求項１記載の表示装置。
【請求項３】
マトリクス状に配置された複数の表示画素からなる表示部を備えた表示パネルと、
透明絶縁性基板と、前記透明絶縁性基板上に配置された透明電極群と、前記透明電極群に流れる電流を検出する電流検出手段と、を備えた接触位置センサと、を備え、
前記透明電極群は、第１方向に延びる複数の第１電極と、前記複数の第１電極と絶縁層を介して交差配置された第２方向に延びる複数の第２電極とを備え、
前記第１電極は、第１軸電極部と、前記第１軸電極部から延びる第１枝電極部とを備え、
前記第２電極は、第２軸電極部と、前記第２軸電極部から延びる第２枝電極部とを備え、
隣接して配置された前記第１電極の前記第１枝電極部は、共通する検出領域に配置され、
隣接して配置された前記第２電極の前記第２枝電極部は、共通する検出領域に配置されている表示装置。
【請求項４】
前記第１軸電極部は、前記第１方向に延びる第１軸電極と、前記第１軸電極から延びる第１渦巻き電極と、前記第１軸電極から蛇行するように延びる第１蛇行電極と、を備え、
前記第１枝電極部は、前記第１蛇行電極部から延びる第２渦巻き電極と、前記第１蛇行電極又は前記第１渦巻き電極から延びる第１枝電極と、を備え、
前記第２軸電極部は、前記第２方向に延びる第２軸電極と、前記第２軸電極から延びる第３渦巻き電極と、前記第２軸電極から蛇行するように延びる第２蛇行電極と、を備え、
前記第２枝電極部は、前記第２蛇行電極部から延びる第３渦巻き電極と、前記第２蛇行電極又は前記第３渦巻き電極から延びる第２枝電極と、を備え、
前記第１渦巻き電極と前記第３渦巻き電極とが共通する検出領域に配置され、前記第１蛇行電極と前記第２枝電極とが共通する検出領域に配置され、前記第２渦巻き電極と前記第４渦巻き電極とが共通する検出領域に配置され、前記第１枝電極と前記第２蛇行電極とが共通する検出領域に配置されている請求項３記載の表示装置。
【請求項５】
透明絶縁性基板と、マトリクス状に配置された検出領域を構成するように前記透明絶縁性基板上に配置された透明電極群と、前記透明電極群に流れる電流を検出する電流検出手段と、を備え、
前記透明電極群は、第１方向に延びる複数の第１電極と、前記複数の第１電極と絶縁層を介して交差配置された第２方向に延びる複数の第２電極とを備え、
前記第１電極は、前記第１方向に延びる第１軸電極部と、前記第１軸電極部から延びる第１枝電極部とを備え、
隣接して配置された前記第１電極の前記第１枝電極部は、共通する検出領域に配置されている接触位置センサ。
【請求項６】
前記第１軸電極部は、前記第１方向に延びる第１軸電極と、前記第１軸電極から渦巻き状に延びる第１渦巻き電極と、を備え、
前記第１枝電極部は、前記第１渦巻き電極から前記第２方向に延びる第１枝電極を備え、
前記第２電極は、前記第２方向に延びる第２軸電極を備え、
前記第２軸電極部は、前記第２軸電極から延びる第２渦巻き電極を備え、
前記第２枝電極部は、前記第２軸電極から蛇行するように延びる第２枝電極を備え、
前記第１渦巻き電極と前記第２渦巻き電極とが共通する検出領域に配置され、前記第１枝電極と前記第２枝電極とが共通する検出領域に配置されている請求項５記載の接触位置センサ。
【請求項７】
透明絶縁性基板と、前記透明絶縁性基板上に配置された透明電極群と、前記透明電極群に流れる電流を検出する電流検出手段と、を備え、
前記透明電極群は、第１方向に延びる複数の第１電極と、前記複数の第１電極と絶縁層を介して交差配置された第２方向に延びる複数の第２電極とを備え、
前記第１電極は、第１軸電極部と、前記第１軸電極部から延びる第１枝電極部とを備え、
前記第２電極は、第２軸電極部と、前記第２軸電極部から延びる第２枝電極部とを備え、
隣接して配置された前記第１電極の前記第１枝電極部は、共通する検出領域に配置され、
隣接して配置された前記第２電極の前記第２枝電極部は、共通する検出領域に配置されている接触位置センサ。
【請求項８】
前記第１軸電極部は、前記第１方向に延びる第１軸電極と、前記第１軸電極から延びる第１渦巻き電極と、前記第１軸電極から蛇行するように延びる第１蛇行電極と、を備え、
前記第１枝電極部は、前記第１蛇行電極部から延びる第２渦巻き電極と、前記第１蛇行電極又は前記第１渦巻き電極から延びる第１枝電極と、を備え、
前記第２軸電極部は、前記第２方向に延びる第２軸電極と、前記第２軸電極から延びる第３渦巻き電極と、前記第２軸電極から蛇行するように延びる第２蛇行電極と、を備え、
前記第２枝電極部は、前記第２蛇行電極部から延びる第３渦巻き電極と、前記第２蛇行電極又は前記第３渦巻き電極から延びる第２枝電極と、を備え、
前記第１渦巻き電極と前記第３渦巻き電極とが共通する検出領域に配置され、前記第１蛇行電極と前記第２枝電極とが共通する検出領域に配置され、前記第２渦巻き電極と前記第４渦巻き電極とが共通する検出領域に配置され、前記第１枝電極と前記第２蛇行電極とが共通する検出領域に配置されている請求項７記載の接触位置センサ。
【発明の詳細な説明】
【技術分野】
【０００１】
本発明は接触位置センサおよび表示装置に関する。
【背景技術】
【０００２】
近年、接触位置センサが搭載された表示装置が広く知られている。接触位置センサは、例えば指先等の接触体が接触した接触位置を検出するように構成されている。
【０００３】
接触位置センサは、その動作原理によって、抵抗膜方式、静電容量方式、赤外線方式、超音波方式、及び電磁誘導方式等に分類される。その中でも、静電容量方式の接触位置センサは、表示装置の光学特性を比較的損ない難いため、表示装置に好適である。
【０００４】
静電容量方式の接触位置センサは、一般に、表示パネルを覆うように設けられる位置検出用透明電極と、位置検出用透明電極の周縁部分に設けられた複数の電極端子と、電極端子を流れる電流を検出する電流検出回路とを有している。
【０００５】
使用者が接触位置センサに接触すると、位置検出用透明電極は、接触された地点で位置検出用透明電極の静電容量や電荷量に変化が生じる。この変化が電流検出回路によって検出されることにより、利用者が接触した位置を検出している。
【０００６】
上記のような接触位置センサが表示装置に搭載される場合、表示装置の表示画面内の領域での接触位置の検出制度を向上させるために、Ｘ方向に延びる複数の行配線と、Ｙ方向に延びる複数の列配線とを配置し、行配線と列配線との配線間距離で規定される検出領域に、静電容量の変化量を増大するように、行配線に接続された検出行配線と、列配線に接続された検出列配線とが設けられた静電容量センサが提案されている（特許文献１参照）。
【先行技術文献】
【特許文献】
【０００７】
【特許文献１】特開２００５−３０８４０号公報
【発明の概要】
【発明が解決しようとする課題】
【０００８】
しかしながら、上記のように行電極と列電極とを配置すると、縦横の検出配線群で接触位置の座標検出する場合、配線本数に応じたピッチでしか分解能が無い。単純に分解能をあげようとすると検出配線群本数を増やす必要があるが、その場合には、検出ＩＣの接続本数が増える（コストＵＰ）など制約があり、製造コストを低減させることが困難であった。
【０００９】
例えば、第１方向に延びる第１電極と、第２方向に延びる第２電極とが配置されている場合に、利用者が第１方向および第２方向と交差する方向に接触すると、第１電極と第２電極との配線本数に応じたピッチでしか接触位置を検出することができず、検出精度を上げることが困難であった。
【００１０】
本発明は上記事情に鑑みて成されたものであって、接触位置の検出精度の高い接触位置センサおよび表示装置を提供することを目的とする。
【課題を解決するための手段】
【００１１】
本発明の第１態様による表示装置は、マトリクス状に配置された複数の表示画素からなる表示部を備えた表示パネルと、透明絶縁性基板と、前記透明絶縁性基板上に配置された透明電極群と、前記透明電極群に流れる電流を検出する電流検出手段と、を備えた接触位置センサと、を備え、前記透明電極群は、第１方向に延びる複数の第１電極と、前記複数の第１電極と絶縁層を介して交差配置された第２方向に延びる複数の第２電極とを備え、前記第１電極は、第１軸電極部と、前記第１軸電極部から延びる第１枝電極部とを備え、前記第２電極は、前記第１軸電極部と対向して配置された第２軸電極部と、前記第１枝電極部と対向して配置された第２枝電極部と、を備え、隣接して配置された前記第１電極の前記第１枝電極部は、共通する検出領域に配置されている表示装置である。
【００１２】
本発明の第２態様による表示装置は、マトリクス状に配置された複数の表示画素からなる表示部を備えた表示パネルと、透明絶縁性基板と、前記透明絶縁性基板上に配置された透明電極群と、前記透明電極群に流れる電流を検出する電流検出手段と、を備えた接触位置センサと、を備え、前記透明電極群は、第１方向に延びる複数の第１電極と、前記複数の第１電極と絶縁層を介して交差配置された第２方向に延びる複数の第２電極とを備え、前記第１電極は、第１軸電極部と、前記第１軸電極部から延びる第１枝電極部とを備え、前記第２電極は、第２軸電極部と、前記第２軸電極部から延びる第２枝電極部とを備え、隣接して配置された前記第１電極の前記第１枝電極部は、共通する検出領域に配置され、隣接して配置された前記第２電極の前記第２枝電極部は、共通する検出領域に配置されている表示装置である。
【００１３】
本発明の第３態様による接触位置センサは、透明絶縁性基板と、前記透明絶縁性基板上に配置された透明電極群と、前記透明電極群に流れる電流を検出する電流検出手段と、を備え、前記透明電極群は、第１方向に延びる複数の第１電極と、前記複数の第１電極と絶縁層を介して交差配置された第２方向に延びる複数の第２電極とを備え、前記第１電極は、第１軸電極部と、前記第１軸電極部から延びる第１枝電極部とを備え、前記第２電極は、前記第１軸電極部と対向して配置された第２軸電極部と、前記第１枝電極部と対向して配置された第２枝電極部と、を備え、隣接して配置された前記第１電極の前記第１枝電極部は、共通する検出領域に配置されている接触位置センサである。
【００１４】
本発明の第４態様による接触位置センサは、透明絶縁性基板と、前記透明絶縁性基板上に配置された透明電極群と、前記透明電極群に流れる電流を検出する電流検出手段と、を備え、前記透明電極群は、第１方向に延びる複数の第１電極と、前記複数の第１電極と絶縁層を介して交差配置された第２方向に延びる複数の第２電極とを備え、前記第１電極は、第１軸電極部と、前記第１軸電極部から延びる第１枝電極部とを備え、前記第２電極は、第２軸電極部と、前記第２軸電極部から延びる第２枝電極部とを備え、隣接して配置された前記第１電極の前記第１枝電極部は、共通する検出領域に配置され、隣接して配置された前記第２電極の前記第２枝電極部は、共通する検出領域に配置されている接触位置センサである。
【発明の効果】
【００１５】
本発明によれば、接触位置の検出精度の高い接触位置センサおよび表示装置を提供することができる。
【図面の簡単な説明】
【００１６】
【図１】本発明の第１実施形態に係る接触位置センサを備える表示装置の構成例を説明するための図である。
【図２】本発明の第１実施形態に係る接触位置センサの透明電極群の一構成例を説明するための図である。
【図３】図２に示す透明電極群の第１電極の一構成例を説明するための図である。
【図４】図２に示す透明電極群の第２電極の一構成例を説明するための図である。
【図５】図３に示す第１電極と図４に示す第２電極との配置の一例について説明するための図である。
【図６】本発明の第２実施形態に係る接触位置センサの透明電極群の一構成例を説明するための図である。
【図７】図６に示す透明電極群の第１電極の一構成例を説明するための図である。
【図８】図６に示す透明電極群の第２電極の一構成例を説明するための図である。
【図９】図７に示す第１電極と図８に示す第２電極との配置の一例について説明するための図である。
【図１０】第１比較例に係る接触位置センサの透明電極群の一構成例を説明するための図である。
【図１１】図１０に示す接触位置センサの断面の一例を説明するための図である。
【図１２】第２比較例に係る接触一戦さの透明電極群の一構成例を説明するための図である。
【図１３】第１比較例に係る接触位置センサの検出結果の一例を説明するための図である。
【図１４】第２比較例に係る接触位置センサの検出結果の一例を説明するための図である。
【図１５】本発明の第２実施形態に係る接触位置センサの検出結果の一例を説明するための図である。
【図１６】第１比較例に係る接触位置センサの検出結果の他の例を説明するための図である。
【図１７】第２比較例に係る接触位置センサの検出結果の他の例を説明するための図である。
【図１８】本発明の第２実施形態に係る接触位置センサの検出結果の他の例を説明するための図である。
【図１９】本発明の第３実施形態に係る接触位置センサの第１電極の一構成例を説明するための図である。
【図２０】本発明の第３実施形態に係る接触位置センサの第２電極の一構成例を説明するための図である。
【図２１】図１９に示す第１電極と図２０に示す第２電極との配置の一例について説明するための図である。
【発明を実施するための形態】
【００１７】
以下、本発明の実施の形態について、詳細に説明する。図１に示すように、本実施形態に係る表示装置は、表示パネルＰＮＬと、接触位置センサＳＳとを備えている。表示パネルＰＮＬは、マトリクス状に配置された複数の表示画素（図示せず）からなる表示部ＤＹＰを備えている。表示パネルＰＮＬの一端には、表示パネルＰＮＬに信号を供給するための回路基板Ｃ１が接続されている。表示パネルＰＮＬは、例えば、一対の基板と、この一対の基板間に挟持された液晶層とを備えた表示パネルＰＮＬである。
【００１８】
接触位置センサＳＳは、表示パネルＰＮＬの表示部ＤＹＰと対向するように配置されている。接触位置センサＳＳは、透明絶縁性基板と、マトリクス状に配置された検出領域を構成するように配置された透明電極群ＥＸＹとを備えている。透明電極群ＥＸＹは、表示パネルＰＮＬの表示部ＤＹＰを覆うように配置されている。接触位置センサＳＳの一端には、接触位置センサＳＳの透明電極群ＥＸＹから信号を取り出す回路基板Ｃ２が接続されている。
【００１９】
接触位置センサＳＳは、図２に示すような透明電極群ＥＸＹを備えている。接触位置センサＳＳの検出領域は、例えば図２の点線で囲む枠内の領域である。透明電極群ＥＸＹは、第１方向Ｄ１に延びる複数の第１電極ＥＸ（ＥＸ１、ＥＸ２、ＥＸ３…）と、第２方向Ｄ２に延びる複数の第２電極ＥＹ（ＥＹ１、ＥＹ２、ＥＹ３…）とを備えている。第１方向Ｄ１と第２方向Ｄ２とは略直交する方向である。第１電極ＥＸと第２電極ＥＹとは、透明絶縁性基板間において、絶縁層を介して配置されている。
【００２０】
第１電極ＥＸは、透明絶縁性基板の端部に配置された第１電極端子（図示せず）に電気的に接続されている。第２電極ＥＹは、透明絶縁性基板の端部に配置された第２電極端子（図示せず）に電気的に接続されている。
【００２１】
図３に示すように、第１電極ＥＸは、第１方向Ｄ１に延びる第１軸電極部１０と、第１軸電極部１０から第２方向Ｄ２に延びる第１枝電極ＥＸＡを含む枝電極部１２とを備えている。第１軸電極部１０は、第１方向Ｄ１に延びる第１軸電極ＥＸＢと、第１軸電極ＥＸＢから渦巻き状に延びる第１渦巻き電極ＥＸＣとを備えている。第１枝電極ＥＸＡは第１渦巻き電極ＥＸＣから延びている。
【００２２】
枝電極部１２が配置される検出領域は、隣接する第１電極ＥＸの枝電極部１２が配置される検出領域と重複し、第１枝電極ＥＸＡは、隣接する第１電極ＥＸの第１枝電極ＥＡＸと間隔を置いて厚さ方向Ｄ３において重ならないように配置される。
【００２３】
図４に示すように、第２電極ＥＹは、第２方向Ｄ２に延びる第２軸電極ＥＹＢと、第２軸電極ＥＹＢから延びる第２枝電極ＥＹＡと、渦巻き状に延びる第２渦巻き電極ＥＹＣとを備えている。
【００２４】
第２渦巻き電極ＥＹＣは、図５に示すように、第１軸電極部１０の第１渦巻き電極ＥＸＣが配置される検出領域において、第１渦巻き電極ＥＸＣと厚さ方向Ｄ３において重ならないように配置される。第２枝電極ＥＹＡは、厚さ方向Ｄ３において第１枝電極ＥＸＡと重ならないように、蛇行して延びている。
【００２５】
上記の接触位置センサＳＳで、利用者の指先等が接触した位置を検出する場合、第１電極ＥＸ、および第２電極ＥＹにより利用者の指先等が接触した位置の座標を検出する。すなわち、指先等が接触することによって、接触された地点で透明電極と人体（指先）との間に介在された絶縁体（透明絶縁性基板）の静電容量を介して接続される。
【００２６】
接触される位置によって、第１電極端子および第２電極端子と接地点との間の電荷量に変化が生じる。この電荷量の変化が、第１電極端子および第２電極端子を介して外部に接続された電流検出回路（図示せず）によって検出され、利用者が接触した位置を検出する。
【００２７】
図５に示すように、例えば、第１電極ＥＸｎ、ＥＸｎ＋１と、第２電極ＥＹｎとが配置されている場合、第１電極ＥＸｎの第１軸電極部１０と第２電極ＥＹｎの第２軸電極部２０とが配置されている検出領域のアドレスを（ｎ、ｎ）とする。
【００２８】
第１電極ＥＸｎ＋１の第１軸電極部１０と第２電極ＥＹｎの第２軸電極部２０とが配置されている検出領域のアドレスは（ｎ＋１、ｎ）となる。さらに、第１電極ＥＸｎ、ＥＸｎ＋１の第１枝電極部１２と第２電極ＥＹｎの第２枝電極部２２とが配置されている検出領域のアドレスは（ｎ＋０．５、ｎ）となる。
【００２９】
すなわち、本実施形態に係る接触位置センサＳＳおよび表示装置では、隣接する第１電極ＥＸの第１枝電極部１２が配置される検出領域が重複していることにより、利用者が隣接する第１電極ＥＸの第１軸電極部１０の間の領域に接触した場合であっても、接触位置を検出することができる。
【００３０】
例えば、利用者が第１電極ＥＸｎの第１軸電極部１０と第１電極ＥＸｎ＋１の第１軸電極部１０との間の検出領域に接触した場合には、第１電極ＥＸｎと第１電極ＥＸｎ＋１との両方の近傍に接触位置があることが検出される。
【００３１】
上記のように、本実施形態に係る接触位置センサＳＳおよび表示装置によれば、接触位置の検出精度の高い接触位置センサおよび表示装置を提供することができる。
【００３２】
次に、本発明の第２実施形態に係る接触位置センサおよび表示装置について図面を参照して以下に説明する。なお、以下の説明において上述の第１実施形態に係る接触位置センサおよび表示装置と同様の構成については同一の符号を付して説明を省略する。
【００３３】
本実施形態に係る表示装置は、表示パネルＰＮＬと、接触位置センサＳＳとを備えている。接触位置センサＳＳは、表示パネルＰＮＬの表示部ＤＹＰと対向するように配置されている。接触位置センサＳＳは、透明絶縁性基板と、マトリクス状に配置された検出領域を構成するように配置された透明電極群ＥＸＹとを備えている。接触位置センサＳＳの一端には、接触位置センサＳＳの透明電極群ＥＸＹから信号を取り出す回路基板Ｃ２が接続されている。
【００３４】
接触位置センサＳＳは、図６に示すような透明電極群ＥＸＹを備えている。透明電極群ＥＸＹは、第１方向Ｄ１に延びる複数の第１電極ＥＸ（ＥＸ１、ＥＸ２、ＥＸ３…）と、第２方向Ｄ２に延びる複数の第２電極ＥＹ（ＥＹ１、ＥＹ２、ＥＹ３…）とを備えている。第１方向Ｄ１と第２方向Ｄ２とは略直交する方向である。第１電極ＥＸと第２電極ＥＹとは、透明絶縁性基板間上で、絶縁層を介して交差配置されている。
【００３５】
第１電極ＥＸは、透明絶縁性基板の端部に配置された第１電極端子（図示せず）に電気的に接続されている。第２電極ＥＹは、透明絶縁性基板の端部に配置された第２電極端子（図示せず）に電気的に接続されている。
【００３６】
図７に示すように、第１電極ＥＸは、第１軸電極部１０と第１軸電極部１０から延びる第１枝電極部１２とを備えている。第１軸電極部１０は、第１方向Ｄ１に延びる第１軸電極ＥＸＢと、第１軸電極ＥＸＢから渦巻き状に延びる第１渦巻き電極ＥＸＣと、第１軸電極ＥＸＢから蛇行して延びる第１蛇行電極ＥＸＤと、を備えている。第１方向Ｄ１において、第１渦巻き電極ＥＸＣと第１蛇行電極ＥＸＤとは交互に配置されている。
【００３７】
第１枝電極部１２は、第２方向Ｄ２に延びる第１枝電極ＥＸＡと、第１軸電極部１０から渦巻き状に延びる第２渦巻き電極ＥＸＥとを備えている。第１枝電極ＥＸＡは、第２方向Ｄ２において第１渦巻き電極ＥＸＣと並んで配置されている。第２渦巻き電極ＥＸＥは、第２方向Ｄ２において、第１蛇行電極ＥＸＤと並んで配置されている。
【００３８】
図８に示すように、第２電極ＥＹは、第２軸電極部２４と第２軸電極部２４から延びる第２枝電極部２６とを備えている。第２軸電極部２４は、第２方向Ｄ２に延びる第２軸電極ＥＹＢと、第２軸電極ＥＹＢから渦巻き状に延びる第３渦巻き電極ＥＹＣと、第２軸電極ＥＹＢから蛇行して延びる第２蛇行電極ＥＹＤと、を備えている。第２方向Ｄ２において、第２渦巻き電極ＥＹＣと第２蛇行電極ＥＹＤとは交互に配置されている。
【００３９】
第２枝電極部２６は、第１方向Ｄ１に延びる第２枝電極ＥＹＡと、第２軸電極部２４から渦巻き状に延びる第３渦巻き電極ＥＹＥとを備えている。第２枝電極ＥＹＡは、第１方向Ｄ１において第３渦巻き電極ＥＸＣと並んで配置されている。第４渦巻き電極ＥＹＥは、第１方向Ｄ１において、第２蛇行電極ＥＹＤと並んで配置されている。
【００４０】
図９に示すように、第１電極ＥＸの第１枝電極部１２が配置される領域は、隣接する第１電極ＥＸの第１枝電極部１２が配置される領域と重複している。第２電極ＥＹの第２枝電極部２６が配置される領域は、隣接する第２電極ＥＹの第２枝電極部２６が配置される領域と重複している。
【００４１】
第１渦巻き電極ＥＸＣが配置される領域は、第３渦巻き電極ＥＹＣが配置される領域と重複している。第１渦巻き電極ＥＸＣと第３渦巻き電極ＥＹＣとは間隔を置いて重ならないように配置されている。
【００４２】
第１枝電極ＥＸＡが配置される領域は、第２蛇行電極ＥＹＤが配置される領域と重複している。この領域には、隣接する第１電極ＥＸの第１枝電極ＥＸＡと、第２蛇行電極ＥＹＤとの３種類の電極が、間隔を置いて配置されている。
【００４３】
第１蛇行電極ＥＸＤが配置される領域は、第２枝電極ＥＹＡが配置される領域と重複している。この領域には、隣接する第２電極ＥＹの第２枝電極ＥＹＡと、第１蛇行電極ＥＸＤとの３種類の電極が、間隔を置いて配置されている。
【００４４】
第２渦巻き電極ＥＸＥが配置される領域は、第４渦巻き電極ＥＹＥが配置される領域と重複している。この領域には、隣接する第１電極ＥＸの第２渦巻き電極ＥＸＥと、隣接する第２電極ＥＹの第４渦巻き電極ＥＹＥとの４種類の電極が、間隔を置いて配置されている。
【００４５】
図９に示すように、例えば、第１電極ＥＸｎ、ＥＸｎ＋１と、第２電極ＥＹｎ、ＥＹｎ＋１とが配置されている場合、第１電極ＥＸｎの第１軸電極部１０と第２電極ＥＹｎの第２軸電極部２４とが配置されている検出領域のアドレスを（ｎ、ｎ）とする。
【００４６】
第１電極ＥＸｎ＋１の第１軸電極部１０と第２電極ＥＹｎの第２軸電極部２４とが配置されている検出領域のアドレスは（ｎ＋１、ｎ）となる。さらに、第１電極ＥＸｎ、ＥＸｎ＋１の第１枝電極部１２と第２電極ＥＹｎの第２枝電極部２６とが配置されている検出領域のアドレスは（ｎ＋０．５、ｎ＋０．５）となる。
【００４７】
すなわち、隣接する第１電極ＥＸの第１枝電極部１２が配置される領域が重複するとともに、隣接する第２電極ＥＹの第２枝電極部２６が配置される領域が重複していることにより、利用者が第１電極ＥＸの第１軸電極部１０間の領域、あるいは、第２電極ＥＹの第２軸電極部２４間の領域に接触した場合であっても、接触位置を検出することができる。
【００４８】
本実施形態に係る接触位置センサおよび表示装置によれば、接触位置の検出精度の高い接触位置センサおよび表示装置を提供することができる。
【００４９】
以下、上記の第２実施形態に係る接触センサおよび比較例に係る接触センサの検出結果について図１３乃至図１８を参照して説明する。なお、図１３乃至図１８には、５つの第１電極と５つの第２電極とにより、接触位置を検出した場合を示している。図１３乃至図１８には、検出された接触位置Ｐを示している。
【００５０】
上記第２実施形態に係る接触センサ上において、第２方向Ｄ２に対して時計回りに略１５度回転した方向に、指先で略直線状に接触したときの検出結果を図１５に示す。第２方向Ｄ２に対して時計回りに略３０度回転した方向に、指先で略直線状に接触したときの検出結果を図１８に示す。
【００５１】
図１５に示すように、第２実施形態に係る接触位置センサの検出領域は、例えば、第１電極ＥＸ１と第２電極ＥＹ１との交差位置がアドレス（１、１）の検出領域で、第１電極ＥＸ２と第２電極ＥＹ１との交差位置がアドレス（２、１）の検出領域であって、アドレス（１、１）の検出領域とアドレス（２、１）の検出領域との間がアドレス（１．５、１）の検出領域となるように配置されている。図１８に示す検出結果についても同様に第１電極ＥＸと第２電極ＥＹの位置に対応して検出領域が配置されている。
【００５２】
第１比較例に係る接触センサは、図１０に示すように、第１方向Ｄ１に延びる複数の第１電極Ｘ（Ｘ１〜Ｘ５）と第２方向Ｄ２に延びる複数の第２電極Ｙ（Ｙ１〜Ｙ５）とを備えている。図１１に示すように、第１電極Ｘと第２電極Ｙとは、一対の基板間に絶縁層Ｌ１を介して配置されている。第１電極Ｘおよび第２電極Ｙは、略ひし形状の検出電極を備えている。
【００５３】
第２方向Ｄ２に対して時計回りに略１５度回転した方向に、この第１比較例に係る接触センサ上を指先で略直線状に接触したときの検出結果を図１３に示す。第２方向Ｄ２に対して時計回りに略３０度回転した方向に、第１比較例に係る接触センサ上を指先で略直線状に接触したときの検出結果を図１６に示す。
【００５４】
第２比較例に係る接触センサは、図１２に示すような第１電極Ｘ（Ｘ１〜Ｘ５）と第２電極Ｙ（Ｙ１〜Ｙ５）とを備えている。第１電極Ｘは、第１方向Ｄ１に延びる軸電極と、この軸電極から第２方向Ｄ２に延びる枝電極とを備えている。第２電極Ｙは、第２方向Ｄ２に延びる軸電極と、この軸電極から第１方向Ｄ１に延びる第１枝電極と、さらにこの第１枝電極から第２方向Ｄ２に延びる第２枝電極とを備えている。
【００５５】
第２方向Ｄ２に対して時計回りに略１５度回転した方向に、この第２比較例に係る接触センサ上を指先で略直線状に接触したときの検出結果を図１４に示す。第２方向Ｄ２に対して時計回りに略３０度回転した方向に、第２比較例に係る接触センサ上を指先で略直線状に接触したときの検出結果を図１７に示す。
【００５６】
まず、図１３乃至図１５に示す検出結果を比較する。図１３に示す検出結果では、第１電極Ｘ間の領域と第２電極Ｙ間の領域との接触位置Ｐを検出することができなかった。また、図１３に示すように、第１比較例に係る接触位置センサでは、第２電極Ｙ３に沿って第２方向Ｄ２と略平行な方向に接触位置Ｐが検出され、第２方向Ｄ２に対して傾いた方向に接触位置があることを検出することが困難であった。
【００５７】
図１４に示す検出結果では、第１電極Ｘ間の領域と、第２電極Ｙ間の領域との接触位置Ｐを検出することができた。しかし、第１比較例に係る接触位置センサの場合と同様に、第２電極Ｙ３に沿って第２方向Ｄ２と略平行な方向に接触位置Ｐが検出され、第２方向Ｄ２に対して傾いた方向に接触位置Ｐがあることを検出することが困難であった。
【００５８】
これに対し、図１５に示す検出結果では、第１電極ＥＸ間の領域と、第２電極ＥＹ間の領域との接触位置Ｐが検出されているとともに、第１方向Ｄ１において、第２電極ＥＹ２と第２電極ＥＹ３との間の領域、第２電極ＥＹ３上の領域、第２電極ＥＹ３と第２電極ＥＹ４との間の領域の順に接触位置Ｐが検出されている。
【００５９】
すなわち、同数の第１電極と第２電極とが配置されている場合に、第２実施形態に係る接触位置センサＳＳおよび表示装置によれば、第１比較例および第２比較例に係る接触位置センサよりも、高い検出精度で接触位置Ｐを検出することができる。
【００６０】
次に、図１６乃至図１８に示す検出結果を比較する。図１６に示す検出結果では、第１電極Ｘ間の領域と、第２電極Ｙ間の領域との接触位置Ｐを検出することができなかった。また、図１６に示すように、第２電極Ｙ３および第２電極Ｙ４に沿って第２方向Ｄ２に略平行な方向に接触位置Ｐが検出され、第２方向Ｄ２に対して傾いた方向に接触位置Ｐがあることを検出することが困難であった。
【００６１】
図１７に示す検出結果では、第１電極Ｘ間の領域と、第２電極Ｙ間の領域との接触位置Ｐを検出するができた。しかし、図１６に示す場合と同様に、第２電極Ｙ３および第２電極Ｙ４に沿って第２方向Ｄ２に略平行な方向に接触位置Ｐが検出され、第２方向Ｄ２に対して傾いた方向に接触位置Ｐがあることを検出することが困難であった。
【００６２】
これに対し、図１８に示す検出結果では、第１電極ＥＸ間の領域と、第２電極ＥＹ間の領域との接触位置Ｐが検出されているとともに、第２方向Ｄ２に対して傾いた方向に連続して接触位置Ｐが検出されている。
【００６３】
すなわち、同数の第１電極と第２電極とが配置されている場合に、第２実施形態に係る接触位置センサＳＳおよび表示装置によれば、第１比較例および第２比較例に係る接触位置センサＳＳよりも高い検出精度で接触位置Ｐを検出することができる。
【００６４】
次に、本発明の第３実施形態に係る接触位置センサおよび表示装置について図面を参照して以下に簡単に説明する。なお、以下の説明において上述の第１および第２実施形態に係る接触位置センサおよび表示装置と同様の構成については詳しい説明は省略する。
【００６５】
本実施形態に係る表示装置は、表示パネルＰＮＬと、接触位置センサＳＳとを備えている。接触位置センサＳＳは、表示パネルＰＮＬの表示部ＤＹＰと対向するように配置されている。接触位置センサＳＳは、透明絶縁性基板と、マトリクス状に配置された検出領域を構成するように配置された透明電極群ＥＸＹとを備えている。接触位置センサＳＳの一端には、接触位置センサＳＳの透明電極群ＥＸＹから信号を取り出す回路基板Ｃ２が接続されている。
【００６６】
接触位置センサＳＳは、透明電極群ＥＸＹを備えている。透明電極群ＥＸＹは、第１方向Ｄ１に延びる複数の第１電極ＥＸ（ＥＸ１、ＥＸ２、ＥＸ３…）と、第２方向Ｄ２に延びる複数の第２電極ＥＹ（ＥＹ１、ＥＹ２、ＥＹ３…）とを備えている。
【００６７】
それぞれの第１電極ＥＸと第２電極ＥＹとは、小さな四角形検出電極が接続された形をしている。第１方向Ｄ１と第２方向Ｄ２とは略直交する方向である。第１電極ＥＸと第２電極ＥＹとは、透明絶縁性基板間上で、絶縁層を介して交差配置されている。
【００６８】
図１９に示すように、第１電極ＥＸは、第１軸電極部１０と第１軸電極部１０から突き出した第１枝電極部１２とを備えている。この時、第１電極部１０の中の四角形検出電極の面積は第１枝電極部１２の中の四角形検出電極面積の概ね倍となるよう設定した。また図２０に示すように、第２電極ＥＹは、第２軸電極部２４と第２軸電極部２４から延びる第２枝電極部２６とを備えている。
【００６９】
図２１に示すように、第１電極ＥＸの第１枝電極部１２が配置される領域は、隣接する第１電極ＥＸの第１枝電極部１２が配置される領域と重複している。第２電極ＥＹの第２枝電極部２６が配置される領域は、隣接する第２電極ＥＹの第２枝電極部２６が配置される領域と重複している。なお、図２１では、第１電極ＥＸ同士、第２電極ＥＹ同士であっても隣に配置される電極とは異なるハッチングをすることにより、電極の区別を容易にしている。
【００７０】
図２１に示すように、例えば、第１電極ＥＸ１〜ＥＸ３と、第２電極ＥＹ１〜ＥＹ３とが配置されている場合、第１電極ＥＸ２の第１軸電極部１０と第２電極ＥＹ２の第２軸電極部２４とが配置されている検出領域のアドレスを（２、２）とすると、その周りには第２実施形態と同様に周囲に(１．５、２）、（２、２．５）、（２、１．５）、（２.５、２）なるアドレスを想定できるようになる。
【００７１】
すなわち、隣接する第１電極ＥＸの第１枝電極部１２が配置される領域が重複するとともに、隣接する第２電極ＥＹの第２枝電極部２６が配置される領域が重複していることにより、利用者が第１電極ＥＸの第１軸電極部１０間の領域、あるいは、第２電極ＥＹの第２軸電極部２４間の領域に接触した場合であっても、接触位置を検出することができる。
【００７２】
本実施形態に係る接触位置センサおよび表示装置によれば、接触位置の検出精度の高い接触位置センサおよび表示装置を提供することができる。
【００７３】
なお、この発明は、上記実施形態そのままに限定されるものではなく、実施段階ではその要旨（隣接する検出電極間にそれぞれがオーバーラップする領域（１２や２６）を設定する）を逸脱しない範囲で構成要素を変形して具体化できる。
【００７４】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【００７５】
そして、上記説明のために検出座標位置を０．５刻みに飛び飛びの値で表現したが、実使用では容量変化をアナログ的にとらえて連続したアドレスの検出を実施する場合もある。
【符号の説明】
【００７６】
ＳＳ…接触位置センサ、ＤＹＰ…表示部、ＰＮＬ…表示パネル、ＥＸＹ…透明電極群、ＥＸ…第１電極、ＥＹ…第２電極、１０…第１軸電極部、１２…第１枝電極部、Ｄ１…第１方向、Ｄ２…第２方向
【図１】
2010249695.tif 000003
【図２】
2010249695.tif 000004
【図３】
2010249695.tif 000005
【図４】
2010249695.tif 000006
【図５】
2010249695.tif 000007
【図６】
2010249695.tif 000008
【図７】
2010249695.tif 000009
【図８】
2010249695.tif 000010
【図９】
2010249695.tif 000011
【図１０】
2010249695.tif 000012
【図１１】
2010249695.tif 000013
【図１２】
2010249695.tif 000014
【図１３】
2010249695.tif 000015
【図１４】
2010249695.tif 000016
【図１５】
2010249695.tif 000017
【図１６】
2010249695.tif 000018
【図１７】
2010249695.tif 000019
【図１８】
2010249695.tif 000020
【図１９】
2010249695.tif 000021
【図２０】
2010249695.tif 000022
【図２１】
2010249695.tif 000023